(57)【特許請求の範囲】
【請求項１】
直列接続された複数の発光ダイオードをパルス幅変調定電流駆動回路により定電流駆動する定電流駆動装置であって、
上記直列接続された複数の発光ダイオードの各々に並列に負荷抵抗を接続するスイッチを構成する複数のトランジスタと、
上記各トランジスタのベース・エミッタ間に接続されたダイオードと、
上記各トランジスタのベースに接続されたコンデンサと、
上記各トランジスタのベースに上記コンデンサを介してスイッチング制御信号を供給する制御回路とを備え、
上記制御回路は、上記スイッチング制御信号として非同期のパルス幅変調信号を供給することにより上記複数のトランジスタをスイッチング制御し、上記直列接続された複数の発光ダイオードに流れる駆動電流を上記負荷抵抗に分流し、上記パルス幅変調信号のデューティによって、上記負荷抵抗に分流される電流量を可変調整するようにした定電流駆動装置。
【請求項２】
上記パルス幅変調信号のデューティをｎビットの重み付けに対応して可変とした請求項１記載の定電流駆動装置。
【請求項３】
表示パネルを背面側から照明するバックライト光源装置であって、
直列接続された複数の発光ダイオードと、
上記直列接続された複数の発光ダイオードを定電流駆動するパルス幅変調定電流駆動回路と、
上記直列接続された複数の発光ダイオードの各々に並列に負荷抵抗を接続するスイッチを構成する複数のトランジスタと、
上記各トランジスタのベース・エミッタ間に接続されたダイオードと、
上記各トランジスタのベースに接続されたコンデンサと、
上記各トランジスタのベースに上記コンデンサを介してスイッチング制御信号を供給する制御回路とを備え、
上記制御回路は、上記スイッチング制御信号として非同期のパルス幅変調信号を供給することにより上記複数のトランジスタをスイッチング制御し、上記直列接続された複数の発光ダイオードに流れる駆動電流を上記負荷抵抗に分流し、上記パルス幅変調信号のデューティによって、上記負荷抵抗に分流される電流量を可変調整するようにしたバックライト光源装置。
【請求項４】
上記パルス幅変調信号のデューティをｎビットの重み付けに対応して可変とした請求項３記載のバックライト光源装置。
【請求項５】
カラーフィルタを備えた透過型のカラー液晶表示パネルと、このカラー液晶表示パネルを背面側から照明するバックライト光源装置とからなるカラー液晶表示装置であって、
上記バックライト光源装置は、
直列接続された複数の発光ダイオードと、上記直列接続された複数の発光ダイオードを定電流駆動するパルス幅変調定電流駆動回路と、上記直列接続された複数の発光ダイオードの各々に並列に負荷抵抗を接続するスイッチを構成する複数のトランジスタと、上記各トランジスタのベース・エミッタ間に接続されたダイオードと、上記各トランジスタのベースに接続されたコンデンサと、上記各トランジスタのベースに上記コンデンサを介してスイッチング制御信号を供給する制御回路とを備え、
上記制御回路は、上記スイッチング制御信号として非同期のパルス幅変調信号を供給することにより上記複数のトランジスタをスイッチング制御し、上記直列接続された複数の発光ダイオードに流れる駆動電流を上記負荷抵抗に分流し、上記パルス幅変調信号のデューティによって、上記負荷抵抗に分流される電流量を可変調整するようにしたカラー液晶表示装置。
【請求項６】
上記パルス幅変調信号のデューティをｎビットの重み付けに対応して可変とした請求項５記載のカラー液晶表示装置。
【発明の詳細な説明】
【技術分野】
【０００１】
本発明は、直列接続された複数の素子例えば発光ダイオード（LED:light emitting diode）をパルス幅変調定電流駆動回路により定電流駆動するようにした定電流駆動装置、この定電流駆動装置により駆動されるバックライト光源装置及びカラー液晶表示装置に関する。
【背景技術】
【０００２】
近年、液晶ＴＶやプラズマディスプレイ（PDP:Plasma Display Panel）に代表されるようにディスプレイの薄型化が流れとしてあり、中でもモバイル用ディスプレイの多くは液晶系であり、忠実な色の再現性が望まれている。また、液晶パネルのバックライトは蛍光管を使ったＣＣＦＬ（Cold Cathode Fluorescent Lamp）タイプが主流であるが、環境的に水銀レスが要求されてきており、ＣＣＦＬに変わる光源として発光ダイオード等が有望視されている。
【０００３】
一般的に、発光ダイオードを表示画素に用いたディスプレイでは、発光ダイオードをマトリクスの駆動をするために、各画素に対してＸ−Ｙのアドレッシング駆動回路を必要とし、これにより、光らせたい画素の位置にある発光ダイオードを選択（アドレッシング）し、点灯させる時間を変調することにより輝度調整を実施し（パルス幅変調（PWM：Pulse Width Modulation）駆動）、所定の階調性のある表示画面を得ている。このため、駆動用の回路が複雑になりコストが高くなっている（例えば、特許文献１参照）。
【０００４】
また、発光ダイオードは、個々の素子に輝度のばらつきを持っているが、個々の素子のばらつきを補正しようとすると、必然的に、１つ１つの素子を独立した駆動回路で駆動せねばならず、駆動の形態が、前述した発光ダイオードを表示画素に用いたディスプレイに相当する形に酷似してくる。
【０００５】
すなわち、アドレッシングによる駆動回路の複雑さを呈する欠点があった。
【０００６】
一方で、発光ダイオードを光源として用いる場合、赤（Ｒ）、緑（Ｇ）、青（Ｂ）の発光効率が異なるため、個々の色に流す電流も傾向的に独立していなければならない。さらに、各々の色で使用する半導体が異なるため、各色に用いる素子の製造バラツキによる効率の偏差範囲などにも相違が見られ、これらを克服する必要がある。
【０００７】
【特許文献１】特開２００１−２７２９３８号公報
【発明の開示】
【発明が解決しようとする課題】
【０００８】
ところで、発光ダイオード個々の素子のばらつきを個別に調整するためには、マトリクス型の駆動が必要とされていた。また、各発光ダイオードの電力が大きい、照明用途のＬＥＤ駆動装置においては、大電力駆動用のＬＳＩ等は未だ作成されておらず、現実的にはコスト点で不利であるため、直列接続形式が用いられると考えられるが、直列接続形式では、個々の発光ダイオードの電流バラツキを調整することが困難である。
【０００９】
そこで、本発明の目的は、上述の如き従来の実情に鑑み、直列接続された複数の素子例えば発光ダイオードを低電流駆動するにあたり、簡単な回路で個々の素子のばらつきを個別に調整することができるようにした定電流駆動装置、この定電流駆動装置により駆動されるバックライト光源装置及びカラー液晶表示装置を提供することにある。
【００１０】
本発明の更に他の目的、本発明によって得られる具体的な利点は、以下に説明される実施の形態の説明から一層明らかにされる。
【課題を解決するための手段】
【００１１】
本発明は、直列接続された複数の発光ダイオードをパルス幅変調定電流駆動回路により定電流駆動する定電流駆動装置であって、上記直列接続された複数の発光ダイオードの各々に並列に負荷抵抗を接続するスイッチを構成する複数のトランジスタと、上記各トランジスタのベース・エミッタ間に接続されたダイオードと、上記各トランジスタのベースに接続されたコンデンサと、上記各トランジスタのベースに上記コンデンサを介してスイッチング制御信号を供給する制御回路とを備え、上記制御回路は、上記スイッチング制御信号として非同期のパルス幅変調信号を供給することにより上記複数のトランジスタをスイッチング制御し、上記直列接続された複数の発光ダイオードに流れる駆動電流を上記負荷抵抗に分流し、上記パルス幅変調信号のデューティによって、上記負荷抵抗に分流される電流量を可変調整するようにしたことを特徴とする。
【００１２】
本発明は、表示パネルを背面側から照明するバックライト光源装置であって、直列接続された複数の発光ダイオードと、上記直列接続された複数の発光ダイオードを定電流駆動するパルス幅変調定電流駆動回路と、上記直列接続された複数の発光ダイオードの各々に並列に負荷抵抗を接続するスイッチを構成する複数のトランジスタと、上記各トランジスタのベース・エミッタ間に接続されたダイオードと、上記各トランジスタのベースに接続されたコンデンサと、上記各トランジスタのベースに上記コンデンサを介してスイッチング制御信号を供給する制御回路とを備え、上記制御回路は、上記スイッチング制御信号として非同期のパルス幅変調信号を供給することにより上記複数のトランジスタをスイッチング制御し、上記直列接続された複数の発光ダイオードに流れる駆動電流を上記負荷抵抗に分流し、上記パルス幅変調信号のデューティによって、上記負荷抵抗に分流される電流量を可変調整するようにしたことを特徴とする。
【００１３】
本発明は、カラーフィルタを備えた透過型のカラー液晶表示パネルと、このカラー液晶表示パネルを背面側から照明するバックライト光源装置とからなるカラー液晶表示装置であって、上記バックライト光源装置は、直列接続された複数の発光ダイオードと、上記直列接続された複数の発光ダイオードを定電流駆動するパルス幅変調定電流駆動回路と、上記直列接続された複数の発光ダイオードの各々に並列に負荷抵抗を接続するスイッチを構成する複数のトランジスタと、上記各トランジスタのベース・エミッタ間に接続されたダイオードと、上記各トランジスタのベースに接続されたコンデンサと、上記各トランジスタのベースに上記コンデンサを介してスイッチング制御信号を供給する制御回路とを備え、上記制御回路は、上記スイッチング制御信号として非同期のパルス幅変調信号を供給することにより上記複数のトランジスタをスイッチング制御し、上記直列接続された複数の発光ダイオードに流れる駆動電流を上記負荷抵抗に分流し、上記パルス幅変調信号のデューティによって、上記負荷抵抗に分流される電流量を可変調整するようにしたことを特徴とする。
【発明の効果】
【００１４】
本発明では、直列接続された複数の素子をパルス幅変調定電流駆動回路により定電流駆動するにあたり、直列接続された複数の素子の各々に並列に負荷抵抗を接続するスイッチを構成するトランジスタを設け、上記トランジスタのベースにコンデンサを介して制御回路からスイッチング制御信号を供給して、上記トランジスタをスイッチング制御することにより、上記直列接続された複数の素子に流れる駆動電流を上記負荷抵抗に分流するので、直列接続された複数の素子例えば発光ダイオードの個々の輝度特性に応じて個別に駆動電流を調整することができる。
【００１５】
また、上記制御回路から上記スイッチング制御信号としてパルス幅変調信号を供給し、上記パルス幅変調信号のデューティによって、上記負荷抵抗に分流される電流量を可変調整することができ、複数の素子に流れる駆動電流を個別に且つ高精度に調整することができる。
【００１６】
また、上記パルス幅変調信号のデューティをｎビットの重み付けに対応して可変とすることによって、上記負荷抵抗に分流される電流量を（ｎ＋１）ビットの分解能で調整することができる。
【００１７】
さらに、上記制御回路から上記スイッチング制御信号として非同期のパルス幅変調信号を供給することによって、不要輻射を少なくすることができる。
【発明を実施するための最良の形態】
【００１８】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１９】
本発明は、例えば図１に示すような構成のバックライト方式のカラー液晶表示装置１００に適用される。
【００２０】
このカラー液晶表示装置１００は、透過型のカラー液晶表示パネル１０と、このカラー液晶表示パネル１０の背面側に設けられたバックライト光源装置２０からなる。
【００２１】
透過型のカラー液晶表示パネル１０は、ガラス等の構成された２枚の透明な基板（ＴＦＴ基板１１、対向電極基板１２）を互いに対向配置させ、その間隙に例えばツイステッドネマチック（ＴＮ）液晶を封入した液晶層１３を設けた構成となっている。ＴＦＴ基板１１にはマトリクス状に配置された信号線１４と走査線１５及びこれらの交点に配置されたスイッチング素子としての薄膜トランジスタ１６と画素電極１７が形成されている。薄膜トランジスタ１６は走査線１５により順次選択されると共に、信号線１４から供給される映像信号を対応する画素電極１７に書き込む。一方、対向電極基板１２の内表面には対向電極１８及びカラーフィルタ１９が形成されている。
【００２２】
このカラー液晶表示装置１００では、この様な構成の透過型のカラー液晶表示パネル１０を２枚の偏光板３１，３２で挟み、バックライト光源装置２０により背面側から白色光を照射した状態で、アクティブマトリクス方式で駆動することによって、所望のフルカラー 映像表示が得られる。
【００２３】
上記バックライト光源装置２０は、光源２１と波長選択フィルタ２２からなり、上記光源２１が出射する光で上記波長選択フィルタ２２を介して上記カラー液晶表示パネル１０を背面側から照明する。
【００２４】
このカラー液晶表示装置１００は、例えば図２に電気的なブロック構成を示す駆動回路２００により駆動される。
【００２５】
この駆動回路２００は、カラー液晶表示パネル１０やバックライト光源装置２０の駆動電源を供給する電源部１１０、カラー液晶表示パネル１０を駆動するＸドライバ回路１２０及びＹドライバ回路１３０、外部から映像信号が入力端子１４０を介して供給されるＲＧＢプロセス処理部１５０、このＲＧＢプロセス処理部１５０に接続された映像メモリ１６０及び制御部１７０、バックライト光源装置２０の駆動制御するバックライト駆動制御部１８０等を備えてなる。
【００２６】
この駆動回路２００において、入力端子１４０を介して入力された映像信号は、ＲＧＢプロセス処理部１５０によりクロマ処理等の信号処理がなされ、さらに、コンポジット信号からカラー液晶表示パネル１０の駆動に適したＲＧＢセパレート信号に変換されて、制御部１７０に供給されるとともに、画像メモリ１６０を介してＸドライバ１２０に供給される。また、制御部１７０は、上記ＲＧＢセパレート信号に応じた所定のタイミングでＸドライバ１２０及びＹドライバ回路１３０を制御して、上記画像メモリ１６０を介してＸドライバ１２０に供給されるＲＧＢセパレート信号でカラー液晶表示パネル１０を駆動することにより、上記ＲＧＢセパレート信号に応じた映像を表示する。
【００２７】
ここで、カラーフィルタ１９は各画素電極１７に対応した複数のセグメントに分割されている。例えば、図３の（Ａ）に示すように３原色である赤色フィルタＣＦＲ、緑色フィルタＣＦＧ、青色フィルタＣＦＢの３つのセグメント、図３の（Ｂ）に示すように３原色（ＲＧＢ）にシアン（Ｃ）を加えた赤色フィルタＣＦＲ、シアン色フィルタＣＦＣ、緑色フィルタＣＦＧ、青色フィルタＣＦＢの４つのセグメント、あるいは、図３の（Ｃ）に示すように３原色（ＲＧＢ）にシアン（Ｃ）とイエロー（Ｙ）を加えた赤色フィルタＣＦＲ、シアン色フィルタＣＦＣ、青色フィルタＣＦＧ、イエロー色フィルタＣＦＹ、青色フィルタＣＦＢの５つのセグメントに分割されている。
【００２８】
ここで、上記バックライト光源装置２０には、透過型のカラー液晶表示パネル１０を背面に配設された複数の発光ダイオード（LED:t emitting diode）により照射するエリアライト方式の光源２１が採用されている。
【００２９】
このバックライト光源装置２０の光源２１における発光ダイオードの配置について説明する。
【００３０】
図４は、発光ダイオードの配置例として、単位セル４−１，４−２毎に、赤の発光ダイオード１、緑の発光ダイオード２及び青の発光ダイオード３をそれぞれ２個使用し、合計６個の発光ダイオードを一列に配列した様子を示している。
【００３１】
この配置例では６個であるが、使用する発光ダイオードの定格、発光効率などにより、混合色をバランスの良い白色光とするために、光出力バランスを整える必要から、各色の個数配分は本例以外のバリエーションがありうる。
【００３２】
図４に示した配置例において、上記単位セル４−１と単位セル４−２は、全く同一の物であり、中央の両端矢印部分で接続されている。また、図５は、上記単位セル４−１及び単位セル４−２が接続された形を電気回路図記号のダイオードマークによって図示したものである。この例の場合、各発光ダイオード、すなわち、赤の発光ダイオード１、緑の発光ダイオード２、青の発光ダイオード３は左から右に電流が流れる方向に極性を合わせて直列接続されている。
【００３３】
ここで、赤の発光ダイオード１、緑の発光ダイオード２及び青の発光ダイオード３をそれぞれ２個使用し、合計６個の発光ダイオードを一列に配列した単位セル４を各色の発光ダイオードの個数でパターン表記すると図６に示すように（２Ｇ  ２Ｒ  ２Ｂ）となる。すなわち、（２Ｇ  ２Ｒ  ２Ｂ）は、緑と赤と青２個ずつ合計６個のパターンを基本単位としていることを示す。そして、図７に示すように、上記基本単位の単位セル４を３つ連続に繋げた場合、記号が３＊（２Ｇ  ２Ｒ  ２Ｂ）で、発光ダイオードの個数でパターン表記すると（６Ｇ  ６Ｒ  ６Ｂ）で示される。
【００３４】
次に、上記バックライト光源装置２０の光源２１における実際の発光ダイオードの配置例を図７の表記に基づき説明する。
【００３５】
光源２１には、図８に示すように、前述した発光ダイオードの基本単位（２Ｇ  ２Ｒ  ２Ｂ）の３倍を１つの中単位（６Ｇ  ６Ｒ  ６Ｂ）として、垂直に４行、水平に５列、合計で３６０個の発光ダイオードが配置されている。
【００３６】
そして、上記３６０個の発光ダイオード全てに対して、個々のアドレッシングを施すことは容易でないので、このバックライト光源装置２０では、図９に示すような駆動構成としている。
【００３７】
すなわち、ｎ列のそれぞれに対応するＲＧＢのペアｇ１〜ｇｎは、各列にＲＧＢの各発光ダイオードそれぞれが独立して直列接続されており、ＤＣ−ＤＣコンバータ７により定電流が流される構成となっている。
【００３８】
図１０を参照して、定電流をＬＥＤ直列接続基板ｍ１，ｍ２に流すための具体的な構成例の説明をする。
【００３９】
すなわち、複数の発光ダイオードが直列接続されたＬＥＤ列４０は、一端が検出抵抗（Ｒｃ）５を介してＤＣ−ＤＣコンバーター７に接続され、また、他端がＦＥＴ６を介して接地されている。
【００４０】
上記ＤＣ−ＤＣコンバーター７は、出力電圧Ｖｃｃの設定に対して、検出抵抗５による電圧降下を検出して、直列接続されたＬＥＤ列に所定の定電流ＩＬＥＤが流れるようにフィードバックループを構成している。この例では、上記検出抵抗５による降下電圧がサンプルホールドスイッチ８を介してコンデンサ９にサンプルホールドされて上記ＤＣ−ＤＣコンバーター７に帰還される。
【００４１】
また、上記バックライト駆動制御部１８０に備えられたドライバーＩＣ１８１からＦＥＴ６のゲートに加えられるｍａｉｎ  ＰＷＭ（Pulse Width Modulation）信号により、ＬＥＤ列４０に流れる電流が所定の期間ＯＮ−ＯＦＦされることにより、発光ダイオードの発光量を増減せしめる構成となっている。
【００４２】
すなわち、このバックライト光源装置２０では、上記バックライト駆動制御部１８０に備えられたドライバーＩＣ１８１から供給されるｍａｉｎ  ＰＷＭ信号によりＦＥＴ６をスイッチング動作させて、複数の発光ダイオード４１Ａ〜４１Ｅを直列接続してなるＬＥＤ列４０にＤＣ−ＤＣコンバーター７により供給された駆動電流をＯｎ−ＯＦＦすることによって、上記発光ダイオード４１Ａ〜４１Ｅをパルス幅変調定電流駆動するようになっている。
【００４３】
なお、この例では、定電流を波高値で制御するために、電流検出のフィードバックループにサンプルホールドを備えているが、これはひとつの例であって、他の方法を用いてもよい。
【００４４】
また、この例では、ｍａｉｎ  ＰＷＭ信号に基づいてサンプルホールドスイッチ駆動回路１８３により作成されるサンプルパルスが上記サンプルホールドスイッチ８に供給されるようになっている。
【００４５】
なお、この図１０に示した一群のＬＥＤ列４０は、図９に示したｎ列のそれぞれに対応するＲＧＢのペアｇ１〜ｇｎの１列に対している。したがって、同様の回路が、本例では、ｇｎ列×３倍（ＲＧＢ分）必要となる。
【００４６】
次に、発光ダイオード個々の素子のばらつきを個別に調整する構成について、図１１を参照して具体的に説明する。
【００４７】
図１０に示した一群のＬＥＤ列４０における発光ダイオード４１の個数は、光量バランスの観点で個数は変動するので種々のケースが考えられる。特に、近年、総個数を削減する為に各素子の投入電力を大きくしているため、各素子の輝度特性のばらつきを調整により克服する必要がある。
【００４８】
図１１に示すように、直列接続された５個の発光ダイオード４１Ａ〜４１Ｅには、個々に並列に負荷抵抗８１Ａ〜８１Ｅを接続するスイッチを構成するトランジスタ８２Ａ〜８２Ｅが接続されており、各トランジスタ８２Ａ〜８２Ｅのベース・エミッタ間にはクランプ用のダイオード８３Ａ〜８３Ｅが接続され、さらに、各トランジスタ８２Ａ〜８２Ｅのベースに結合用コンデンサ８４Ａ〜８４Ｅが接続されている。
【００４９】
直列接続された５個の発光ダイオード４１Ａ〜４１Ｅには、上から下に向けて、各々Ｖｆａ〜Ｖｆｅまでの、個別の電圧降下を有しており、製造ロットに応じてばらつきを持つ。また、直列接続された５個の発光ダイオード４１Ａ〜４１ＥはＦＥＴ６によってＰＷＭ駆動されている。
【００５０】
このような構成の駆動回路において、各トランジスタ８２Ａ〜８２Ｅの各ベースには、上記バックライト駆動制御部１８０に備えられた駆動制御回路１８２からスイッチング制御信号として結合用コンデンサ８４Ａ〜８４Ｅを介してｓｕｂ＿ＰＷＭ信号ａ〜ｅが供給される。上記結合用コンデンサ８４Ａ〜８４Ｅに入力されるｓｕｂ＿ＰＷＭ信号ａ〜ｅは、ダイオード８３Ａ〜８３Ｅによってトランジスタ８２Ａ〜８２Ｅのエミッタ電位がクランプされるため、交流信号として扱うことができる。したがって、直列接続であっても電位を考えずに、トランジスタ８２Ａ〜８２ＥのＯＮ−ＯＦＦ駆動ができる。
【００５１】
トランジスタ８２Ａ〜８２ＥがＯＮすると、発光ダイオード４１Ａ〜４１Ｅのアノード−カソード間は、抵抗８１Ａ〜８１Ｅにてバイパスされ、駆動電流の一部分が、発光ダイオード４１Ａ〜４１Ｅ以外に、抵抗８１Ａ〜８１Ｅに分流するので、発光機能をもつ発光ダイオード４１Ａ〜４１Ｅの光出力は低下する。
【００５２】
ここで、抵抗８１Ａ〜８１Ｅの値を適宜選択すれば、バイパスさせたときに分流する電流量は任意に設定することが可能であるが、バイパスする時間をＯｎ−ＯＦＦの期間比率の操作により加減すれば、分流する平均の電流量を加減し、結果として発光ダイオード４１Ａ〜４１Ｅの光量を個別に制御することができる。
【００５３】
この際に、トランジスタ駆動用に使用するｓｕｂ＿ＰＷＭ信号ａ〜ｅは、ｍａｉｎ＿ＰＷＭ信号と独立して選択することが可能な構成となっているため、自由度が高い。また、ｓｕｂ＿ＰＷＭ信号ａ〜ｅの周波数を上げることにより、分解能も上げることができ、決め細やかな調整が可能である。
【００５４】
すなわち、このバックライト光源装置２０では、上記バックライト駆動制御部１８０に備えられたドライバーＩＣ１８１から供給されるｍａｉｎ  ＰＷＭ信号によりＦＥＴ６をスイッチング動作させて、複数の発光ダイオード４１Ａ〜４１Ｅを直列接続してなるＬＥＤ列４０にＤＣ−ＤＣコンバーター７により供給された駆動電流をＯｎ−ＯＦＦすることによって、上記発光ダイオード４１Ａ〜４１Ｅをパルス幅変調定電流駆動するにあたり、直列接続された複数の発光ダイオード４１Ａ〜４１Ｅの各々に並列に負荷抵抗８１Ａ〜８１Ｅを接続するスイッチを構成するトランジスタ８２Ａ〜８２Ｅを設け、上記トランジスタ８２Ａ〜８２Ｅのベースにコンデンサ８４Ａ〜８４Ｅを介して上記バックライト駆動制御部１８０に備えられた駆動制御回路１８２からスイッチング制御信号を供給して、上記トランジスタ８２Ａ〜８２Ｅをスイッチング制御することにより、上記直列接続された複数の発光ダイオード４１Ａ〜４１Ｅに流れる駆動電流を上記負荷抵抗８１Ａ〜８１Ｅに分流するようになっている。
【００５５】
このように上記直列接続された複数の発光ダイオード４１Ａ〜４１Ｅに流れる駆動電流を上記負荷抵抗８１Ａ〜８１Ｅに分流することによって、直列接続された複数の発光ダイオード４１Ａ〜４１Ｅの個々の輝度特性に応じて個別に駆動電流を調整することができる。
【００５６】
ここで、上記駆動制御回路１８２は、上記スイッチング制御信号としてｓｕｂ＿ＰＷＭ信号ａ〜ｅを供給し、上記ｓｕｂ＿ＰＷＭ信号ａ〜ｅのデューティによって、上記負荷抵抗８１Ａ〜８１Ｅに分流される電流量を可変調整することができ、複数の発光ダイオード４１Ａ〜４１Ｅに流れる駆動電流を個別に且つ高精度に調整することができる。
【００５７】
また、上記駆動制御回路１８２は、上記ｓｕｂ＿ＰＷＭ信号ａ〜ｅのデューティをｎビットの重み付けに対応して可変とすることによって、上記負荷抵抗８１Ａ〜８１Ｅに分流される電流量を（ｎ＋１）ビットの分解能で調整することができる。
【００５８】
さらに、上記駆動制御回路１８２は、上記スイッチング制御信号として非同期のｓｕｂ＿ＰＷＭ信号ａ〜ｅを供給することによって、不要輻射を少なくすることができる。
【図面の簡単な説明】
【００５９】
【図１】本発明を適用したバックライト方式のカラー液晶表示装置の構成を示す模式的な斜視図である。
【図２】上記カラー液晶表示装置の駆動回路の構成を示すブロック図である。
【図３】上記カラー液晶表示装置おけるカラー液晶パネルに設けられるカラーフィルタの構成を示す模式的な平面図である。
【図４】上記カラー液晶表示装置を構成するバックライト光源装置における発光ダイオードの配置例を模式的に示す図である。
【図５】上記発光ダイオードの配置例における各発光ダイオードが接続された形を電気回路図記号のダイオードマークによって模式的に示した図である。
【図６】赤の発光ダイオード、緑の発光ダイオード及び青の発光ダイオードをそれぞれ２個使用し、合計６個の発光ダイオードを一列に配列した単位セルを各色の発光ダイオードの個数でパターン表記して模式的に示した図である。
【図７】基本単位の単位セル４を３つ連続に繋げた場合を発光ダイオードの個数でパターン表記して模式的に示した図である。
【図８】上記バックライト光源装置の光源２１における実際の発光ダイオードの配置例を発光ダイオードの個数でパターン表記して模式的に示した図である。
【図９】上記バックライト光源装置における発光ダイオードの駆動構成を模式的に示す図である。
【図１０】上記バックライト光源装置における直列接続された複数の発光ダイオードに定電流を流すための具体的な構成例を模式的に示す図である。
【図１１】上記バックライト光源装置における直列接続された複数の発光ダイオード個々の素子のばらつきを個別に調整するための具体的な構成例を模式的に示す図である。
【符号の説明】
【００６０】
１，２，３，４１，４１Ａ〜４１Ｅ  発光ダイオード、４−１，４−２  単位セル、５  検出抵抗、６  ＦＥＴ、７  ＤＣ−ＤＣコンバーター、８  サンプルホールドスイッチ、９  コンデンサ、１０  カラー液晶表示パネル、１１  ＴＦＴ基板、１２  対向電極基板、１３  液晶層、１４  信号線、１５  走査線、１６  薄膜トランジスタ、１７  画素電極、１８  対向電極、１９  カラーフィルタ、２０  バックライト光源装置、２１  光源２１、２２  波長選択フィルタ、３１，３２  偏光板、４０  ＬＥＤ列、８１Ａ〜８１Ｅ  負荷抵抗、８２Ａ〜８２Ｅ  トランジスタ、８３Ａ〜８３Ｅ  ダイオード、８４Ａ〜８４Ｅ  コンデンサ、１００  カラー液晶表示装置、１１０  電源部、１２０  Ｘドライバ回路、１３０  Ｙドライバ回路、１４０  入力端子１４０、１５０  ＲＧＢプロセス処理部、１６０  映像メモリ、１７０  制御部、１８０  バックライト駆動制御部、１８１  ドライバーＩＣ、１８２  駆動制御回路、１８３  サンプルホールドスイッチ駆動回路、２００  駆動回路
【図１】
0004720099.tif 000002
【図２】
0004720099.tif 000003
【図３】
0004720099.tif 000004
【図４】
0004720099.tif 000005
【図５】
0004720099.tif 000006
【図６】
0004720099.tif 000007
【図７】
0004720099.tif 000008
【図８】
0004720099.tif 000009
【図９】
0004720099.tif 000010
【図１０】
0004720099.tif 000011
【図１１】
0004720099.tif 000012